(57)【要約】【課題】現像ユニットを円滑に着脱することができる画像形成装置を提供すること。【解決手段】  画像形成装置１は、筐体２の開口２Ａを開閉するカバー３と、第１感光ドラム１０Ｋと第１現像ユニット１１Ｋとを備える第１プロセスカートリッジ４Ｋと、第１感光ドラム１０Ｋを露光するためのＬＥＤアレイ５Ｋと、カバー３の移動に連動して、カバー３の軸Ａと直交する方向に移動可能なリンク部材２１Ａ、２１Ｂとを備える。リンク部材２１Ａ、２１Ｂは、カバー３が閉位置から開位置へ移動するときに、第１現像ユニット１１Ｋを、軸Ａから離れる方向へ移動させ、カバー３が開位置から閉位置へ移動するときに、第１現像ユニット１１Ｋを、軸Ａに近づく方向へ移動させる。【選択図】図２
2018055067.tif 000002
【特許請求の範囲】
【請求項１】
開口を有する筐体と、
前記開口を開放する開位置と、前記開口を閉鎖する閉位置との間を、第１方向に延びる軸について回動可能なカバーと、
前記カバーが前記開位置に位置するときに前記開口を介して前記筐体に対して着脱可能なプロセスカートリッジであって、感光ドラムと、前記感光ドラムにトナーを供給するように構成される現像ユニットとを備えるプロセスカートリッジと、
前記感光ドラムを露光するためのＬＥＤアレイであって、前記カバーに取り付けられるＬＥＤアレイと、
前記プロセスカートリッジが前記筐体に装着されているときに、前記カバーおよび前記現像ユニットに接続されるリンク部材であって、前記カバーの移動に連動して、前記第１方向と直交する第２方向に移動可能なリンク部材と、を備え、
前記リンク部材は、
前記カバーが前記閉位置から前記開位置へ移動するときに、前記現像ユニットを、前記第２方向において、前記軸から離れる方向へ移動させ、
前記カバーが前記開位置から前記閉位置へ移動するときに、前記現像ユニットを、前記第２方向において、前記軸に近づく方向へ移動させることを特徴とする、画像形成装置。
【請求項２】
前記現像ユニットは、前記プロセスカートリッジに対して着脱可能であることを特徴とする、請求項１に記載の画像形成装置。
【請求項３】
前記プロセスカートリッジは、前記プロセスカートリッジに対する前記現像ユニットの着脱を案内するためのガイド部材を備えることを特徴とする、請求項２に記載の画像形成装置。
【請求項４】
前記リンク部材は、前記ガイド部材を移動させることにより、前記現像ユニットを移動させることを特徴とする、請求項３に記載の画像形成装置。
【請求項５】
前記ガイド部材は、前記カバーが開位置に位置し、前記現像ユニットが前記プロセスカートリッジから離脱されるときに、前記現像ユニットを、前記軸から離れる方向へ案内するように構成されることを特徴とする、請求項３または請求項４に記載の画像形成装置。
【請求項６】
前記ガイド部材は、前記カバーが前記開位置に位置するときに、上下方向に延びる第１部分と、前記第１部分に対して前記感光ドラムの反対側に位置する第２部分であって、前記軸から離れる方向へ向かって前記第１部分の上端部から延びる第２部分とを備えることを特徴とする、請求項５に記載の画像形成装置。
【請求項７】
前記リンク部材は、前記第１方向に互いに間隔を隔てて、２つ、設けられ、
前記ガイド部材は、前記第１方向に互いに間隔を隔てて、２つ、設けられることを特徴とする、請求項５または請求項６に記載の画像形成装置。
【請求項８】
前記カバーは、前記閉位置から前記開位置へ移動するときに、前記閉位置から、前記カバーと前記リンク部材との連動が開始される連動位置を経て、前記開位置へ移動し、
前記ＬＥＤアレイは、前記カバーが前記連動位置に位置するときに、前記筐体の外に位置し、
前記リンク部材は、前記カバーが前記連動位置から前記開位置へ移動するときに、前記筐体内において、前記現像ユニットを移動させることを特徴とする、請求項１から請求項７のいずれか一項に記載の画像形成装置。
【請求項９】
前記現像ユニットは、
前記カバーが前記閉位置に位置するときに、前記カバーによって、前記感光ドラムへ向けて押圧される押圧部材を備えることを特徴とする、請求項１から請求項８のいずれか一項に記載の画像形成装置。
【請求項１０】
前記第２方向において前記感光ドラムと並ぶ第２感光ドラムを備え、
前記感光ドラムは、前記第１方向に延びる第１軸について回転可能であり、
前記第２感光ドラムは、前記第１方向に延びる第２軸について回転可能であり、
前記感光ドラムは、前記第２方向において、前記第２感光ドラムに対して、前記カバーの前記軸と反対側に位置し、
前記第１軸は、前記第２軸よりも下方に位置することを特徴とする、請求項１から請求項９のいずれか一項に記載の画像形成装置。
【請求項１１】
前記第２方向に延び、前記感光ドラムおよび前記第２感光ドラムに接触するベルトを備え、
前記ベルトは、前記第２方向において、前記カバーの前記軸から離れる方向へ向かうにつれて、下方へ傾斜することを特徴とする、請求項１０に記載の画像形成装置。
【請求項１２】
前記カバーは、前記第２方向において、前記カバーの前記軸から離れる方向へ向かうにつれて、下方へ傾斜することを特徴とする、請求項１０または請求項１１に記載の画像形成装置。
【請求項１３】
前記プロセスカートリッジは、前記感光ドラムの周面からトナーを除去するための第１クリーナを備え、
前記第２感光ドラムと、前記第２感光ドラムの周面からトナーを除去するための第２クリーナとを備える第２プロセスカートリッジと、
前記第２方向に延び、前記感光ドラムおよび前記第２感光ドラムに接触するベルトと、
前記ベルトの表面からトナーを除去するためのベルトクリーナと、
前記第１クリーナ、前記第２クリーナおよび前記ベルトクリーナが除去したトナーを搬送する搬送管と、
前記搬送管によって搬送されたトナーを収容するための廃トナー収容部と
を備え、
前記搬送管は、前記第２方向において、前記カバーの前記軸から離れる方向へ向かうにつれて、下方へ傾斜することを特徴とする、請求項１０から請求項１２のいずれか一項に記載の画像形成装置。
【請求項１４】
前記感光ドラムに接触するベルトであって、前記感光ドラムに形成されたトナー像が転写されるベルトと、
前記ベルトに転写されたトナー像を用紙に転写するための転写ローラであって、前記ベルトに接触する転写ローラを備えることを特徴とする、請求項１から請求項１３のいずれか一項に記載の画像形成装置。
【発明の詳細な説明】
【技術分野】
【０００１】
本発明は、画像形成装置に関する。
【背景技術】
【０００２】
従来より、特許文献１に開示されるように、画像形成装置は、感光ドラムと、ＬＥＤアレイと、現像ユニットと、ベルトと、転写ローラとを備える。ＬＥＤアレイは、感光ドラムを露光する。これにより、静電潜像が、感光ドラムの周面に形成される。現像ユニットは、感光ドラムにトナーを供給する。これにより、静電潜像が現像され、トナー像が、感光ドラムの周面に形成される。ベルトは、感光ドラムの下に配置される。ベルトは、感光ドラムに接触した状態で、水平方向に移動する。トナー像は、ベルトに転写された後、転写ローラによって、ベルトから用紙に転写される。
【０００３】
現像ユニットは、画像形成装置に対して着脱可能である。現像ユニットは、現像ユニットが画像形成装置に装着された状態で、ベルトが移動する方向において、ＬＥＤアレイと並んでいる。
【先行技術文献】
【特許文献】
【０００４】
【特許文献１】特開２００１−１６６５５６号公報
【発明の概要】
【発明が解決しようとする課題】
【０００５】
特許文献１に開示されるような画像形成装置において、現像ユニットを、画像形成装置に対して、円滑に着脱したいという要望がある。
【０００６】
そこで、本開示の目的は、現像ユニットを円滑に着脱することができる画像形成装置を提供することにある。
【課題を解決するための手段】
【０００７】
本開示の画像形成装置は、筐体と、カバーと、プロセスカートリッジと、ＬＥＤアレイと、リンク部材とを備える。筐体は、開口を有する。カバーは、開口を開放する開位置と、開口を閉鎖する閉位置との間を、第１方向に延びる軸について回動可能である。プロセスカートリッジは、カバーが開位置に位置するときに開口を介して筐体に対して着脱可能である。プロセスカートリッジは、感光ドラムと、感光ドラムにトナーを供給するように構成される現像ユニットとを備える。ＬＥＤアレイは、感光ドラムを露光する。ＬＥＤアレイは、カバーに取り付けられる。リンク部材は、プロセスカートリッジが筐体に装着されているときに、カバーおよび現像ユニットに接続される。リンク部材は、カバーの移動に連動して、第１方向と直交する第２方向に移動可能である。
【０００８】
リンク部材は、カバーが閉位置から開位置へ移動するときに、現像ユニットを、第２方向において、軸から離れる方向へ移動させる。
【０００９】
また、リンク部材は、カバーが開位置から閉位置へ移動するときに、現像ユニットを、第２方向において、軸に近づく方向へ移動させる。
【００１０】
このような構成によれば、カバーを開位置に位置させることにより、現像ユニットを、第２方向において、カバーの軸から離れる方向へ移動させることができる。
【００１１】
その結果、第２方向において、カバーの軸から遠い側から、現像ユニットを円滑に着脱することができる。
【発明の効果】
【００１２】
本開示の画像形成装置は、現像ユニットを円滑に着脱することができる。
【図面の簡単な説明】
【００１３】
【図１】図１は、画像形成装置の中央断面図である。
【図２】図２は、図１に示すカバーが開位置に位置した状態を示す中央断面図である。
【図３】図３は、搬送管および廃トナー収容部を説明するための説明図である。
【図４】図４は、カバーの開閉とリンク部材との連動を説明するための説明図であって、カバーが閉位置に位置した状態を示す。
【図５】図５は、図４のＡ−Ａ断面図である。
【図６】図６は、図４に続き、カバーの開閉とリンク部材との連動を説明するための説明図であって、カバーが連動位置に位置した状態を示す。
【図７】図７は、図６に続き、カバーの開閉とリンク部材との連動を説明するための説明図であって、カバーが開位置に位置した状態を示す。
【図８】図８Ａは、プロセスカートリッジを説明するための説明図であって、カバーが閉位置に位置したときのプロセスカートリッジを示す。図８Ｂは、プロセスカートリッジを説明するための説明図であって、カバーが開位置に位置したときのプロセスカートリッジを示す。なお、図８Ａおよび図８Ｂにおいて、現像ユニットは、プロセスカートリッジから取り外されている。
【図９】図９は、現像ユニットの側面図である。
【発明を実施するための形態】
【００１４】
１．画像形成装置の概略
図１および図２を参照して、画像形成装置１の概略について説明する。
【００１５】
図１に示すように、画像形成装置１は、筐体２と、カバー３と、複数のプロセスカートリッジ４Ｋ、４Ｙ、４Ｍ、４Ｃと、複数のＬＥＤアレイ５Ｋ、５Ｙ、５Ｍ、５Ｃと、ベルト６と、転写ローラ７と、ベルトクリーナ８と、定着器９とを備える。
【００１６】
１．１  筐体
筐体２は、画像形成装置１の外装を構成する。筐体２は、開口２Ａ（図２参照）を有する。プロセスカートリッジ４Ｋ、４Ｙ、４Ｍ、４Ｃは、筐体２に装着されたときに、筐体２の内部に収容される。
【００１７】
１．２  カバー
カバー３は、開口２Ａを開放する開位置（図２参照）と、開口２Ａを閉鎖する閉位置（図１参照）との間を回動可能である。カバー３は、第１方向に延びる軸Ａについて回動可能である。カバー３は、閉位置に位置するときに、第１方向と直交する第２方向において、カバー３の軸Ａから離れる方向へ向かうにつれて、下方へ傾斜する。詳しくは、カバー３の上面Ｓは、カバー３が閉位置に位置するときに、第２方向において、カバー３の軸Ａから離れる方向へ向かうにつれて、下方へ傾斜する。なお、軸Ａは、仮想の軸である。より詳細には、軸Ａは、後述する第１感光ドラム１０Ｋが延びる方向に沿って延びる仮想の軸である。
【００１８】
１．３  プロセスカートリッジ
プロセスカートリッジ４Ｋ、４Ｙ、４Ｍ、４Ｃは、それぞれ、カバー３が開位置に位置するときに、開口２Ａを介して、筐体２に対して着脱可能である。
【００１９】
第１プロセスカートリッジ４Ｋは、第１感光ドラム１０Ｋと、第１現像ユニット１１Ｋと、第１クリーナ１２Ｋとを備える。第２プロセスカートリッジ４Ｙは、第２感光ドラム１０Ｙと、第２現像ユニット１１Ｙと、第２クリーナ１２Ｙとを備える。すなわち、画像形成装置１は、第２感光ドラム１０Ｙを備える。第３プロセスカートリッジ４Ｍは、第３感光ドラム１０Ｍと、第３現像ユニット１１Ｍと、第３クリーナ１２Ｍとを備える。第４プロセスカートリッジ４Ｃは、第４感光ドラム１０Ｃと、第４現像ユニット１１Ｃと、第４クリーナ１２Ｃとを備える。
【００２０】
プロセスカートリッジ４Ｋ、４Ｙ、４Ｍ、４Ｃは、筐体２に装着されたときに、第２方向に並ぶ。すなわち、第２感光ドラム１０Ｙは、第２方向において、第１感光ドラム１０Ｋと並ぶ。第１プロセスカートリッジ４Ｋは、第２方向において、第２プロセスカートリッジ４Ｙに対して、カバー３の軸Ａと反対側に位置する。すなわち、第１感光ドラム１０Ｋは、第２方向において、第２感光ドラム１０Ｙに対して、カバー３の軸Ａと反対側に位置する。第２プロセスカートリッジ４Ｙは、第２方向において、第３プロセスカートリッジ４Ｍに対して、カバー３の軸Ａと反対側に位置する。第３プロセスカートリッジ４Ｍは、第２方向において、第４プロセスカートリッジ４Ｃに対して、カバー３の軸Ａと反対側に位置する。プロセスカートリッジ４Ｋ、４Ｙ、４Ｍ、４Ｃは、筐体２に装着されたときに、第２方向において、互いに間隔を隔てる。
【００２１】
第１感光ドラム１０Ｋは、第１方向に延びる第１軸Ａ１について回転可能である。第１感光ドラム１０Ｋは、第１軸Ａ１に沿って延びる。なお、第１軸Ａ１は、仮想の軸である。より詳細には、第１軸Ａ１は、第１感光ドラム１０Ｋが延びる方向に沿って延びる仮想の軸である。第２感光ドラム１０Ｙは、第１方向に延びる第２軸Ａ２について回転可能である。第２感光ドラム１０Ｙは、第２軸Ａ２に沿って延びる。なお、第２軸Ａ２は、仮想の軸である。より詳細には、第２軸Ａ２は、第２感光ドラム１０Ｙが延びる方向に沿って延びる仮想の軸である。第３感光ドラム１０Ｍは、第１方向に延びる第３軸Ａ３について回転可能である。第３感光ドラム１０Ｍは、第３軸Ａ３に沿って延びる。なお、第３軸Ａ３は、仮想の軸である。より詳細には、第３軸Ａ３は、第３感光ドラム１０Ｍが延びる方向に沿って延びる仮想の軸である。第４感光ドラム１０Ｃは、第１方向に延びる第４軸Ａ４について回転可能である。第４感光ドラム１０Ｃは、第４軸Ａ４に沿って延びる。なお、第４軸Ａ４は、仮想の軸である。より詳細には、第４軸Ａ４は、第４感光ドラム１０Ｃが延びる方向に沿って延びる仮想の軸である。第１軸Ａ１は、第２軸Ａ２よりも下方に位置する。第２軸Ａ２は、第３軸Ａ３よりも下方に位置する。第３軸Ａ３は、第４軸Ａ４よりも下方に位置する。
【００２２】
第１現像ユニット１１Ｋは、第１感光ドラム１０Ｋにトナーを供給するように構成される。第１現像ユニット１１Ｋは、第１プロセスカートリッジ４Ｋに対して着脱可能である。なお、第１現像ユニット１１Ｋが第１プロセスカートリッジ４Ｋに対して着脱可能であることにより、第１プロセスカートリッジ４Ｋのすべてを交換することなく、第１現像ユニット１１Ｋを交換することができる。以下の現像ユニット１１Ｙ、１１Ｍ、１１Ｃについても、同様の効果を得ることができる。第１現像ユニット１１Ｋは、第１押圧部材１３Ｋを備える。第１押圧部材１３Ｋは、カバー３が閉位置に位置するときに、カバー３によって、第１感光ドラム１０Ｋへ向けて押圧される。第２現像ユニット１１Ｙは、第２感光ドラム１０Ｙにトナーを供給するように構成される。第２現像ユニット１１Ｙは、第２プロセスカートリッジ４Ｙに対して着脱可能である。第２現像ユニット１１Ｙは、第２押圧部材１３Ｙを備える。第２押圧部材１３Ｙは、カバー３が閉位置に位置するときに、カバー３によって、第２感光ドラム１０Ｙへ向けて押圧される。第３現像ユニット１１Ｍは、第３感光ドラム１０Ｍにトナーを供給するように構成される。第３現像ユニット１１Ｍは、第３プロセスカートリッジ４Ｍに対して着脱可能である。第３現像ユニット１１Ｍは、第３押圧部材１３Ｍを備える。第３押圧部材１３Ｍは、カバー３が閉位置に位置するときに、カバー３によって、第３感光ドラム１０Ｍへ向けて押圧される。第４現像ユニット１１Ｃは、第４感光ドラム１０Ｃにトナーを供給するように構成される。第４現像ユニット１１Ｃは、第４プロセスカートリッジ４Ｃに対して着脱可能である。第４現像ユニット１１Ｃは、第４押圧部材１３Ｃを備える。第４押圧部材１３Ｃは、カバー３が閉位置に位置するときに、カバー３によって、第４感光ドラム１０Ｃへ向けて押圧される。
【００２３】
第１クリーナ１２Ｋは、第１感光ドラム１０Ｋの周面からトナーを除去する。第２クリーナ１２Ｙは、第２感光ドラム１０Ｙの周面からトナーを除去する。第３クリーナ１２Ｍは、第３感光ドラム１０Ｍの周面からトナーを除去する。第４クリーナ１２Ｃは、第４感光ドラム１０Ｃの周面からトナーを除去する。
【００２４】
１．４  ＬＥＤアレイ
ＬＥＤアレイ５Ｋ、５Ｙ、５Ｍ、５Ｃは、カバー３に取り付けられる。
【００２５】
第１ＬＥＤアレイ５Ｋは、第１感光ドラム１０Ｋを露光する。第１ＬＥＤアレイ５Ｋは、第１プロセスカートリッジ４Ｋが筐体２に装着されたときに、第１感光ドラム１０Ｋの上に位置する。また、第１ＬＥＤアレイ５Ｋは、第１プロセスカートリッジ４Ｋが筐体２に装着されたときに、第２方向において、第１現像ユニット１１Ｋに対して、カバー３の軸Ａの反対側に位置する。
【００２６】
第２ＬＥＤアレイ５Ｙは、第２感光ドラム１０Ｙを露光する。第２ＬＥＤアレイ５Ｙは、第２プロセスカートリッジ４Ｙが筐体２に装着されたときに、第２感光ドラム１０Ｙの上に位置する。また、第２ＬＥＤアレイ５Ｙは、第２プロセスカートリッジ４Ｙが筐体２に装着されたときに、第２方向において、第２現像ユニット１１Ｙに対して、カバー３の軸Ａの反対側に位置する。
【００２７】
第３ＬＥＤアレイ５Ｍは、第３感光ドラム１０Ｍを露光する。第３ＬＥＤアレイ５Ｍは、第３プロセスカートリッジ４Ｍが筐体２に装着されたときに、第３感光ドラム１０Ｍの上に位置する。また、第３ＬＥＤアレイ５Ｍは、第３プロセスカートリッジ４Ｍが筐体２に装着されたときに、第２方向において、第３現像ユニット１１Ｍに対して、カバー３の軸Ａの反対側に位置する。
【００２８】
第４ＬＥＤアレイ５Ｃは、第４感光ドラム１０Ｃを露光する。第４ＬＥＤアレイ５Ｃは、第４プロセスカートリッジ４Ｃが筐体２に装着されたときに、第４感光ドラム１０Ｃの上に位置する。また、第４ＬＥＤアレイ５Ｃは、第４プロセスカートリッジ４Ｃが筐体２に装着されたときに、第２方向において、第４現像ユニット１１Ｃに対して、カバー３の軸Ａの反対側に位置する。
【００２９】
１．５  ベルト、転写ローラおよびベルトクリーナ
ベルト６は、プロセスカートリッジ４Ｋ、４Ｙ、４Ｍ、４Ｃが筐体２に装着されているときに、プロセスカートリッジ４Ｋ、４Ｙ、４Ｍ、４Ｃの下に位置する。ベルト６は、無端状のベルトである。ベルト６は、第１ローラ１４、第２ローラ１５および第３ローラ１６に掛けられる。ベルト６は、第１ローラ１４、第２ローラ１５および第３ローラ１６の周りを周回する。第１ローラ１４は、第２方向において、第４感光ドラム１０Ｃに対して、第３感光ドラム１０Ｍの反対側に位置する。第１ローラ１４は、第１方向に延びる軸Ａ１１について回転可能である。第２ローラ１５は、第２方向において、第１ローラ１４から離れて位置する。詳しくは、第２ローラ１５は、第２方向において、第１感光ドラム１０Ｋに対して、第２感光ドラム１０Ｙの反対側に位置する。これにより、ベルト６は、第１ローラ１４と第２ローラ１５との間に掛けられている部分において、第２方向に延びる。すなわち、ベルト６は、第２方向に延びる。第２ローラ１５は、第１方向に延びる軸Ａ１２について回転可能である。軸Ａ１２は、軸Ａ１１よりも下方に位置する。これにより、ベルト６は、第１ローラ１４と第２ローラ１５との間に掛けられている部分において、第２方向においてカバー３の軸Ａから離れる方向へ向かうにつれて、下方へ傾斜する。すなわち、ベルト６は、第２方向において、カバー３の軸Ａから離れる方向へ向かうにつれて、下方へ傾斜する。第３ローラ１６は、第１ローラ１４および第２ローラ１５と離れて位置する。第３ローラ１６は、第１ローラ１４よりも下方に位置する。ベルト６は、感光ドラム１０Ｋ、１０Ｙ、１０Ｍ、１０Ｃに接触する。すなわち、ベルト６は、第１感光ドラム１０Ｋおよび第２感光ドラム１０Ｙに接触する。ベルト６には、感光ドラム１０Ｋ、１０Ｙ、１０Ｍ、１０Ｃに形成されたトナー像が転写される。
【００３０】
転写ローラ７は、ベルト６に転写されたトナー像を用紙に転写する。転写ローラ７は、第２方向において、第１ローラ１４と並ぶ。詳しくは、転写ローラ７は、第２方向において、第１ローラ１４に対して、第２ローラ１５の反対側に位置する。転写ローラ７は、ベルト６に接触する。ベルト６は、第１ローラ１４と転写ローラ７との間を通る。
【００３１】
ベルトクリーナ８は、ベルト６の表面からトナーを除去する。ベルトクリーナ８は、第２方向において、第４プロセスカートリッジ４Ｃに対して、第３プロセスカートリッジ４Ｍの反対側に位置する。ベルトクリーナ８は、ベルトの上に位置する。ベルトクリーナ８は、クリーニングローラ８Ａと、オーガ８Ｂとを備える。クリーニングローラ８Ａは、ベルト６の表面に接触する。クリーニングローラ８Ａは、ベルト６の表面からトナーを除去する。クリーニングローラ８Ａによって除去されたトナーは、ベルトクリーナ８の内部に収容される。オーガ８Ｂは、ベルトクリーナ８の内部に位置する。オーガ８Ｂは、第１方向に延びる。オーガ８Ｂは、ベルトクリーナ８の内部に収容されたトナーを第１方向に搬送する。
【００３２】
１．６  定着器
定着器９は、トナー像が転写された用紙を加熱および加圧することにより、用紙にトナー像を定着させるように構成される。定着器９は、転写ローラ７の上に位置する。定着器９は、上下方向において、転写ローラ７と間隔を隔てる。
【００３３】
１．７  用紙トレイ
画像形成装置１は、さらに、用紙トレイ１７を備える。
【００３４】
用紙トレイ１７は、ベルト６の下に位置する。用紙トレイ１７は、用紙を収容可能である。用紙トレイ１７内に収容された用紙は、所定のタイミングで、ベルト６と転写ローラ７との間に供給される。また、用紙トレイ１７は、第２方向において、筐体２に対して移動可能である。詳しくは、用紙トレイ１７は、用紙を収容するための収容部１７Ａを備える。用紙トレイ１７は、収容部１７Ａが筐体２の外側に位置する外側位置と、収容部１７Ａが筐体２の内側に位置する内側位置との間を移動可能である。外側位置は、第２方向において、内側位置よりも、カバー３の軸Ａから遠い。これにより、ユーザは、第２方向において、カバー３の軸Ａから遠い一方側から、用紙トレイ１７を操作できる。具体的には、ユーザは、用紙トレイ１７を外側位置に移動させた後、収容部１７Ａに用紙を補給することができる。
【００３５】
１．８  搬送管および廃トナー収容部
図３および図５に示すように、画像形成装置１は、さらに、搬送管１８と、廃トナー収容部１９とを備える。
【００３６】
搬送管１８は、クリーナ１２Ｋ、１２Ｙ、１２Ｍ、１２Ｃ、および、ベルトクリーナ８が除去したトナーを搬送するように構成される。すなわち、搬送管１８は、第１クリーナ１２Ｋ、第２クリーナ１２Ｙおよびベルトクリーナ８が除去したトナーを搬送する。搬送管１８は、クリーナ１２Ｋ、１２Ｙ、１２Ｍ、１２Ｃ、および、ベルトクリーナ８よりも下方に位置する。なお、搬送管１８は、第１方向において、ベルト６と並ぶ。搬送管１８は、第２方向に延びる。また、搬送管１８は、第２方向において、カバー３の軸Ａから離れる方向へ向かうにつれて、下方へ傾斜する。搬送管１８は、第２方向において、一端部と他端部とを備える。一端部は、第２方向において、カバー３の軸Ａに対して、他端部よりも近くに位置する。一端部は、ベルトクリーナ８に連結される。これにより、搬送管１８は、ベルトクリーナ８内のトナーを受け入れ可能である。また、搬送管１８は、一端部と他端部との間において、クリーナ１２Ｋ、１２Ｙ、１２Ｍ、１２Ｃに連結される。これにより、搬送管１８は、クリーナ１２Ｋ、１２Ｙ、１２Ｍ、１２Ｃ内のトナーを受け入れ可能である。また、搬送管１８の内部には、オーガ１８Ａが設けられる。オーガ１８Ａは、搬送管１８に沿って、第２方向に延びる。オーガ１８Ａは、搬送管１８内のトナーを第２方向に搬送する。
【００３７】
廃トナー収容部１９は、搬送管１８によって搬送されたトナーを収容する。廃トナー収容部１９は、筐体２に対して着脱可能である。廃トナー収容部１９は、筐体２に装着されたときに、搬送管１８よりも下方に位置する。なお、廃トナー収容部１９は、筐体２に装着されたときに、第１方向において、用紙トレイ１７と並ぶ。廃トナー収容部１９は、筐体２に装着されたときに、搬送管１８の他端部に連結される。これにより、廃トナー収容部１９は、筐体２に装着されたときに、搬送管１８によって搬送されたトナーを収容可能となる。また、廃トナー収容部１９は、筐体２に対して着脱されるときに、第２方向に移動可能である。詳しくは、廃トナー収容部１９は、筐体２から離脱されるときに、第２方向において、カバー３の軸Ａから離れる方向に移動する。また、廃トナー収容部１９は、筐体２に装着されるときに、第２方向において、カバー３の軸Ａに近づく方向に移動する。これにより、ユーザは、第２方向において、カバー３の軸Ａから遠い一方側から、廃トナー収容部１９を操作できる。
【００３８】
２．画像形成装置の詳細
図１および図２に示すように、画像形成装置１は、プロセスカートリッジ４Ｋ、４Ｙ、４Ｍ、４Ｃが筐体２に装着されている状態で、カバー３が閉位置から開位置へ移動するときに、現像ユニット１１Ｋ、１１Ｙ、１１Ｍ、１１Ｃを、第２方向において、カバーの軸Ａから離れる方向へ移動させる。また、画像形成装置１は、プロセスカートリッジ４Ｋ、４Ｙ、４Ｍ、４Ｃが筐体２に装着されている状態で、カバー３が開位置から閉位置へ移動するときに、現像ユニット１１Ｋ、１１Ｙ、１１Ｍ、１１Ｃを、第２方向において、カバーの軸Ａに近づく方向へ移動させる。以下、図４から図７を参照して、画像形成装置１の詳細について説明する。
【００３９】
図４および図５に示すように、筐体２は、２つの側壁５１Ａ、５１Ｂと、２つのリンク部材２１Ａ、２１Ｂと、２つの接続部材２２Ａ、２２Ｂとを備える。すなわち、画像形成装置１は、２つのリンク部材２１Ａ、２１Ｂを備える。
【００４０】
２．１  側壁
図５に示すように、側壁５１Ａと側壁５１Ｂとは、第１方向に互いに間隔を隔てて位置する。側壁５１Ａ、５１Ｂは、上下方向に延びる。プロセスカートリッジ４Ｋ、４Ｙ、４Ｍ、４Ｃが筐体２に装着されたときに、プロセスカートリッジ４Ｋ、４Ｙ、４Ｍ、４Ｃは、第１方向において、側壁５１Ａと側壁５１Ｂとの間に位置する。側壁５１Ａは、内面５０Ａを有する。側壁５１Ｂは、内面５０Ｂを有する。内面５０Ａ、５０Ｂは、プロセスカートリッジ４Ｋ、４Ｙ、４Ｍ、４Ｃが筐体２に装着されたときに、第１方向において、プロセスカートリッジ４Ｋ、４Ｙ、４Ｍ、４Ｃと向かい合う。なお、側壁５１Ｂは、側壁５１Ａと同じ構成を有する。よって、以下では、側壁５１Ａ、５１Ｂを代表して、側壁５１Ａの構成が具体的に説明される。側壁５１Ａは、図４に示すように、複数の第１プロセスガイド５２Ｋ、５２Ｙ、５２Ｍ、５２Ｃと、複数の第２プロセスガイド５３Ｋ、５３Ｙ、５３Ｍ、５３Ｃとを有する。
【００４１】
図４および図５に示すように、第１プロセスガイド５２Ｋ、５２Ｙ、５２Ｍ、５２Ｃは、側壁５１Ａの内面５０Ａに位置する。第１プロセスガイド５２Ｋは、第１プロセスカートリッジ４Ｋが筐体２に対して着脱されるときに、第１感光ドラム１０Ｋを案内する。第１プロセスガイド５２Ｙは、第２プロセスカートリッジ４Ｙが筐体２に対して着脱されるときに、第２感光ドラム１０Ｙを案内する。第１プロセスガイド５２Ｍは、第３プロセスカートリッジ４Ｍが筐体２に対して着脱されるときに、第３感光ドラム１０Ｍを案内する。第１プロセスガイド５２Ｃは、第４プロセスカートリッジ４Ｃが筐体２に対して着脱されるときに、第４感光ドラム１０Ｃを案内する。第１プロセスガイド５２Ｋ、５２Ｙ、５２Ｍ、５２Ｃは、上下方向に延びる。
【００４２】
第２プロセスガイド５３Ｋは、第１プロセスガイド５２Ｋの内側に位置する。第２プロセスガイド５３Ｙは、第１プロセスガイド５２Ｙの内側に位置する。第２プロセスガイド５３Ｍは、第１プロセスガイド５２Ｍの内側に位置する。第２プロセスガイド５３Ｃは、第１プロセスガイド５２Ｃの内側に位置する。第２プロセスガイド５３Ｋは、第１プロセスカートリッジ４Ｋが筐体２に対して着脱されるときに、後述する突起４６Ｋを案内する。第２プロセスガイド５３Ｙは、第２プロセスカートリッジ４Ｙが筐体２に対して着脱されるときに、後述する突起４６Ｙを案内する。第２プロセスガイド５３Ｍは、第３プロセスカートリッジ４Ｍが筐体２に対して着脱されるときに、後述する突起４６Ｍを案内する。第２プロセスガイド５３Ｃは、第４プロセスカートリッジ４Ｃが筐体２に対して着脱されるときに、後述する突起４６Ｃを案内する。第２プロセスガイド５３Ｋ、５３Ｙ、５３Ｍ、５３Ｃは、上下方向に延びる。
【００４３】
２．２  リンク部材
図５に示すように、リンク部材２１Ａ、２１Ｂは、第２方向に最も長い辺を有する長方形状の部材である。リンク部材２１Ａ、２１Ｂは、第１方向及び第２方向と直交する第３方向に、長さが一定である。リンク部材２１Ａは、側壁５１Ａの内面５０Ａに支持される。リンク部材２１Ｂは、側壁５１Ｂの内面５０Ｂに支持される。これにより、リンク部材２１Ａとリンク部材２１Ｂとは、第１方向に互いに間隔を隔てて設けられる。プロセスカートリッジ４Ｋ、４Ｙ、４Ｍ、４Ｃが筐体２に装着されたときに、現像ユニット１１Ｋ、１１Ｙ、１１Ｍ、１１Ｃは、第１方向において、リンク部材２１Ａとリンク部材２１Ｂとの間に位置する。
【００４４】
また、図４、図６および図７に示すように、リンク部材２１Ａ、２１Ｂは、カバー３の移動に連動して、第２方向に移動可能である。リンク部材２１Ａ、２１Ｂは、カバー３が閉位置（図４参照）から開位置（図８参照）へ移動するときに、現像ユニット１１Ｋ、１１Ｙ、１１Ｍ、１１Ｃ（図１および図２参照）を、第２方向において、軸Ａから離れる方向へ移動させる。また、リンク部材２１Ａ、２１Ｂは、カバー３が開位置から閉位置へ移動するときに、現像ユニット１１Ｋ、１１Ｙ、１１Ｍ、１１Ｃを、第２方向において、軸Ａに近づく方向へ移動させる。第１方向に互いに間隔を隔てる２つのリンク部材２１Ａ、２１Ｂによって、現像ユニット１１Ｋ、１１Ｙ、１１Ｍ、１１Ｃを第２方向へ移動させることにより、現像ユニット１１Ｋ、１１Ｙ、１１Ｍ、１１Ｃが第１方向に対して傾斜することを抑制しながら、現像ユニット１１Ｋ、１１Ｙ、１１Ｍ、１１Ｃを第２方向に移動させることができる。これにより、現像ユニット１１Ｋ、１１Ｙ、１１Ｍ、１１Ｃを、円滑に、第２方向に移動させることができる。なお、リンク部材２１Ｂは、リンク部材２１Ａと同じ構成を有する。よって、以下では、リンク部材２１Ａ、２１Ｂを代表して、リンク部材２１Ａの構成が具体的に説明される。
【００４５】
図４に示すように、リンク部材２１Ａは、第２方向に延びる。リンク部材２１Ａは、第２方向に移動可能である。リンク部材２１Ａは、第２方向において、一端部Ｅ１と、他端部Ｅ２とを備える。一端部Ｅ１は、第２方向において、カバー３の軸Ａに対して、他端部Ｅ２よりも離れて位置する。一端部Ｅ１には、ばね２３が取り付けられている。図６および図７に示すように、リンク部材２１Ａが、第２方向において、軸Ａから離れる方向へ移動したときに、ばね２３は、圧縮される。ばね２３が、圧縮されることにより、リンク部材２１Ａは、第２方向において、軸Ａに近づく方向へ押圧される。図４に示すように、他端部Ｅ２は、ボス３０を備える。ボス３０は、第１方向に延びる。ボス３０は、円筒形状である。ボス３０は、後述する接続部材２２Ａの穴３１に挿入される。これにより、他端部Ｅ２は、接続部材２２Ａに接続される。なお、後述するが、接続部材２２Ａは、カバー３にも接続される。そのため、リンク部材２１Ａは、接続部材２２Ａを介して、カバー３に接続される。
【００４６】
また、図４および図５に示すように、リンク部材２１Ａは、複数の係合部２６Ｋ、２６Ｙ、２６Ｍ、２６Ｃを備える。
【００４７】
係合部２６Ｋは、第１プロセスカートリッジ４Ｋが筐体２に装着されたときに、後述する突起４６Ｋと係合する部分である。係合部２６Ｙは、第２プロセスカートリッジ４Ｙが筐体２に装着されたときに、後述する突起４６Ｙと係合する部分である。係合部２６Ｍは、第３プロセスカートリッジ４Ｍが筐体２に装着されたときに、後述する突起４６Ｍと係合する部分である。係合部２６Ｃは、第４プロセスカートリッジ４Ｃが筐体２に装着されたときに、後述する突起４６Ｃと係合する部分である。係合部２６Ｋ、２６Ｙ、２６Ｍ、２６Ｃは、第２方向に並ぶ。係合部２６Ｋ、２６Ｙ、２６Ｍ、２６Ｃは、第２方向において、互いに間隔を隔てる。係合部２６Ｋは、第１ボス２４Ｋと、第２ボス２５Ｋとを備える。係合部２６Ｙは、第１ボス２４Ｙと、第２ボス２５Ｙとを備える。係合部２６Ｍは、第１ボス２４Ｍと、第２ボス２５Ｍとを備える。係合部２６Ｃは、第１ボス２４Ｃと、第２ボス２５Ｃとを備える。なお、第１ボス２４Ｙ、２４Ｍ、２４Ｃは、第１ボス２４Ｋと同じ形状である。よって、以下では、第１ボス２４Ｙ、２４Ｍ、２４Ｃを代表して、第１ボス２４Ｋの構成が具体的に説明される。また、第２ボス２５Ｙ、２５Ｍ、２５Ｃは、第２ボス２５Ｋと同じ構成を有する。よって、以下では、第２ボス２５Ｙ、２５Ｍ、２５Ｃを代表して、第２ボス２５Ｋの構成が具体的に説明される。
【００４８】
第１ボス２４Ｋと第２ボス２５Ｋとは、第２方向において、間隔を隔てて位置する。
第１ボス２４Ｋおよび第２ボス２５Ｋは、第１プロセスカートリッジ４Ｋが筐体２に装着された状態で、第１方向において、リンク部材２１Ａから第１プロセスカートリッジ４Ｋに向かって突出する。第１ボス２４Ｋと第２ボス２５Ｋとの間には、第１プロセスカートリッジ４Ｋが筐体２に装着されたときに、突起４６Ｋが位置する。これにより、係合部２６Ｋは、第１プロセスカートリッジ４Ｋが筐体２に装着されたときに、突起４６Ｋと係合する。これにより、リンク部材２１Ａは、第１プロセスカートリッジ４Ｋが筐体２に装着されているときに、後述するガイド部材４２Ｋを介して、第１現像ユニット１１Ｋに接続される。また、リンク部材２１Ａは、後述するガイド部材４２Ｋを移動させることにより、第１現像ユニット１１Ｋを移動させる。
【００４９】
２．３  接続部材
図４および図５に示すように、接続部材２２Ａは、リンク部材２１Ａとカバー３とを接続する。接続部材２２Ｂは、リンク部材２１Ｂとカバー３とを接続する。なお、接続部材２２Ｂは、接続部材２２Ａと同じ構成を有する。よって、以下では、接続部材２２Ａ、２２Ｂを代表して、接続部材２２Ａの構成が具体的に説明される。接続部材２２Ａは、回動軸２７、第１接続部２８および第２接続部２９を備える。
【００５０】
回動軸２７は、カバー３の軸Ａに沿って延びる。回動軸２７は、円筒形状を有する。回動軸２７は、側壁５１Ａに支持される。回動軸２７は、側壁５１Ａに対して回動可能である。
【００５１】
第１接続部２８は、リンク部材２１Ａに接続される部分である。第１接続部２８は、回動軸２７から、リンク部材２１Ａの他端部Ｅ２に向かって延びる。第１接続部２８は、穴３１を有する。穴３１には、リンク部材２１Ａのボス３０が挿入される。これにより、第１接続部２８は、リンク部材２１Ａの他端部Ｅ２に接続される。
【００５２】
第２接続部２９は、カバー３に接続される部分である。第２接続部２９は、回動軸２７から、カバー３が有する長穴３２に向かって延びる。長穴３２は、カバー３の回動方向に延びる。第２接続部２９は、ボス３３を備える。ボス３３は、第１方向に延びる。ボス３３は、円筒形状である。ボス３３は、長穴３２に挿入される。これにより、第２接続部２９は、カバー３に接続される。
【００５３】
ここで、長穴３２は、カバー３の回動方向において、一端Ｅ１１と、他端Ｅ１２とを有する。他端Ｅ１２は、カバー３が閉位置から開位置へ向かって回動するときの回動方向において、一端Ｅ１１に対して上流側に位置する。また、第２接続部２９のボス３３は、カバー３が閉位置に位置するときに、長穴３２の一端Ｅ１１に挿入される。これにより、図４および図６に示すように、カバー３が閉位置から開位置へ移動するときには、カバー３が回動しても、ボス３３が長穴３２の他端Ｅ１２に位置するまで、接続部材２２Ａが回動しない。そして、図６および図７に示すように、ボス３３が長穴３２の他端Ｅ１２に位置するまでカバー３が回動した後、カバー３が開位置へ向かってさらに回動すると、カバー３の回動に連動して、接続部材２２Ａが回動する。すると、接続部材２２Ａが回動することにより、リンク部材２１Ａは、第２方向において、カバー３の軸Ａから離れる方向に移動する。すなわち、ボス３３が長穴３２の他端Ｅ１２に位置するまでカバー３が回動した後、カバー３が開位置へ向かってさらに回動したときに、カバー３とリンク部材２１Ａとが連動する。カバー３とリンク部材２１Ａとの連動が開始される位置が、カバー３の連動位置（図６参照）である。つまり、カバー３は、閉位置から開位置へ移動するときに、閉位置から、連動位置を経て、開位置へ移動する。カバー３が連動位置に位置するとき、ＬＥＤアレイ５Ｋ、５Ｙ、５Ｍ、５Ｃは、筐体２の外に位置する。リンク部材２１Ａ、２１Ｂは、カバー３が連動位置から開位置へ移動するときに、筐体２内において、現像ユニット１１Ｋ、１１Ｙ、１１Ｍ、１１Ｃ（図１および図２参照）を移動させる。これにより、ＬＥＤアレイ５Ｋ、５Ｙ、５Ｍ、５Ｃは、筐体２の外に位置した状態で、現像ユニット１１Ｋ、１１Ｙ、１１Ｍ、１１Ｃを移動させることができる。その結果、ＬＥＤアレイ５Ｋ、５Ｙ、５Ｍ、５Ｃに、対応する現像ユニット１１Ｋ、１１Ｙ、１１Ｍ、１１Ｃが衝突することを防止できる。
【００５４】
３．プロセスカートリッジの詳細
次いで、図４、図５、図８および図９を参照して、プロセスカートリッジ４Ｋ、４Ｙ、４Ｍ、４Ｃの詳細について説明する。
【００５５】
図４に示すように、第１プロセスカートリッジ４Ｋは、ドラムユニット４１Ｋと、２つのガイド部材４２Ｋと、接続壁４４Ｋとを備える。ドラムユニット４１Ｋは、第１感光ドラム１０Ｋおよび第１クリーナ１２Ｋを備える。第２プロセスカートリッジ４Ｙは、ドラムユニット４１Ｙと、２つのガイド部材４２Ｙと、接続壁４４Ｙとを備える。ドラムユニット４１Ｙは、第２感光ドラム１０Ｙおよび第２クリーナ１２Ｙを備える。第３プロセスカートリッジ４Ｍは、ドラムユニット４１Ｍと、２つのガイド部材４２Ｍと、接続壁４４Ｍとを備える。ドラムユニット４１Ｍは、第３感光ドラム１０Ｍおよび第３クリーナ１２Ｍを備える。第４プロセスカートリッジ４Ｃは、ドラムユニット４１Ｃと、２つのガイド部材４２Ｃと、接続壁４４Ｃとを備える。ドラムユニット４１Ｃは、第４感光ドラム１０Ｃおよび第４クリーナ１２Ｃを備える。
【００５６】
３．１  ガイド部材および接続壁
図４に示すように、２つのガイド部材４２Ｋは、第１プロセスカートリッジ４Ｋに対する第１現像ユニット１１Ｋの着脱を案内する。２つのガイド部材４２Ｋは、それぞれ、現像ガイド４５Ｋを有する。また、２つのガイド部材４２Ｋは、それぞれ、突起４６Ｋを備える。２つのガイド部材４２Ｙは、第２プロセスカートリッジ４Ｙに対する第２現像ユニット１１Ｙの着脱を案内する。２つのガイド部材４２Ｙは、それぞれ、現像ガイド４５Ｙを有する。また、２つのガイド部材４２Ｙは、それぞれ、突起４６Ｙを備える。２つのガイド部材４２Ｍは、第３プロセスカートリッジ４Ｍに対する第３現像ユニット１１Ｍの着脱を案内する。２つのガイド部材４２Ｍは、それぞれ、現像ガイド４５Ｍを有する。また、２つのガイド部材４２Ｍは、それぞれ、突起４６Ｍを備える。２つのガイド部材４２Ｃは、第４プロセスカートリッジ４Ｃに対する第４現像ユニット１１Ｃの着脱を案内する。２つのガイド部材４２Ｃは、それぞれ、現像ガイド４５Ｃを有する。また、２つのガイド部材４２Ｃは、それぞれ、突起４６Ｃを備える。
【００５７】
なお、プロセスカートリッジ４Ｙ、４Ｍ、４Ｃは、第１プロセスカートリッジ４Ｋと同じ構成を有する。よって、以下では、プロセスカートリッジ４Ｋ、４Ｙ、４Ｍ、４Ｃを代表して、第１プロセスカートリッジ４Ｋの構成が具体的に説明される。
【００５８】
図５に示すように、２つのガイド部材４２Ｋは、第１方向に互いに間隔を隔てる。２つのガイド部材４２Ｋは、それぞれ、第１感光ドラム１０Ｋの第１軸Ａ１と直交する方向に延びる。２つのガイド部材４２Ｋは、それぞれ、第１プロセスカートリッジ４Ｋが筐体２に装着されたときに、上下方向に延びる。２つのガイド部材４２Ｋは、それぞれ、板形状を有する。２つのガイド部材４２Ｋは、ドラムユニット４１Ｋに対して回動可能である。
【００５９】
現像ガイド４５Ｋは、ガイド部材４２Ｋの内面Ｓ１に位置する。また、図８Ａおよび図８Ｂに示すように、現像ガイド４５Ｋは、第１部分４７Ｋと、第２部分４８Ｋとを備える。すなわち、２つのガイド部材４２Ｋは、それぞれ、第１部分４７Ｋと、第２部分４８Ｋとを備える。第２部分４８Ｋは、第１部分４７Ｋに対して第１感光ドラム１０Ｋの反対側に位置する。図８Ａに示すように、第１部分４７Ｋは、第１プロセスカートリッジ４Ｋが筐体２に装着された状態で、カバー３が閉位置に位置するときに、軸Ａ（図４参照）に近づく方向へ向かって延びる。また、第２部分４８Ｋは、第１プロセスカートリッジ４Ｋが筐体２に装着された状態で、カバー３が閉位置に位置するときに、上下方向に延びる。図８Ｂに示すように、第１部分４７Ｋは、第１プロセスカートリッジ４Ｋが筐体２に装着された状態で、カバー３が開位置に位置するときに、上下方向に延びる。また、第２部分４８Ｋは、第１プロセスカートリッジ４Ｋが筐体２に装着された状態で、カバー３が開位置に位置するときに、軸Ａ（図４参照）から離れる方向へ向かって、第１部分４７Ｋの上端部から延びる。これにより、２つのガイド部材４２Ｋは、第１プロセスカートリッジ４Ｋが筐体２に装着された状態で、カバー３が開位置に位置し、第１現像ユニット１１Ｋが第１プロセスカートリッジ４Ｋから離脱されるときに、第１現像ユニット１１Ｋを、軸Ａから離れる方向へ案内するように構成される。
【００６０】
図５に示すように、突起４６Ｋは、ガイド部材４２Ｋの外面Ｓ２に位置する。突起４６Ｋは、外面Ｓ２から突出する。突起４６Ｋは、第１方向に延びる。また、図８Ａおよび図８Ｂに示すように、突起４６Ｋは、第１プロセスカートリッジ４Ｋが筐体２に装着されたときに、上下方向に延びる。
【００６１】
接続壁４４Ｋは、２つのガイド部材４２Ｋに接続される壁である。接続壁４４Ｋは、２つのガイド部材４２Ｋの間に位置する。接続壁４４Ｋは、第１方向に延びる。第１方向における接続壁４４Ｋの一端は、一方のガイド部材４２Ｋに接続される。第１方向における接続壁４４Ｋの他端は、他方のガイド部材４２Ｋに接続される。接続壁４４Ｋが２つのガイド部材４２Ｋに接続されていることにより、２つのガイド部材４２Ｋは、ドラムユニット４１Ｋに対して、同時に回動可能である。
【００６２】
３．２  現像ユニットの詳細
図５および図９を参照して、第１現像ユニット１１Ｋの詳細について説明する。なお、現像ユニット１１Ｙ、１１Ｍ、１１Ｃは、第１現像ユニット１１Ｋと同じ構成を有する。よって、以下では、現像ユニット１１Ｋ、１１Ｙ、１１Ｍ、１１Ｃを代表して、第１現像ユニット１１Ｋの構成が具体的に説明される。
【００６３】
第１現像ユニット１１Ｋは、筐体６０Ｋと、現像ローラ６１Ｋと、２つのガイド突起６２Ｋ、６３Ｋとを備える。
【００６４】
筐体６０Ｋは、トナーを収容可能である。筐体６０Ｋは、第１方向に延びる。筐体６０Ｋは、第１方向において、一方の外表面Ｓ１１と、他方の外表面Ｓ１２とを備える。
【００６５】
現像ローラ６１Ｋは、第１現像ユニット１１Ｋが第１プロセスカートリッジ４Ｋに装着されたときに、第１感光ドラム１０Ｋに接触する。これにより、現像ローラ６１Ｋは、第１現像ユニット１１Ｋ内のトナーを第１感光ドラム１０Ｋに供給可能である。現像ローラ６１Ｋは、現像ローラシャフト６４Ｋを有する。現像ローラシャフト６４Ｋは、第１方向に延びる。現像ローラシャフト６４Ｋは、第１方向において、一端部Ｅ２１と、他端部Ｅ２２とを備える。一端部Ｅ２１は、一方の外表面Ｓ１１から突出する。他端部Ｅ２２は、他方の外表面Ｓ１２から突出する。一端部Ｅ２１は、第１現像ユニット１１Ｋが第１プロセスカートリッジ４Ｋに対して着脱されるときに、一方のガイド部材４２Ｋの現像ガイド４５Ｋによって案内される。他端部Ｅ２２は、第１現像ユニット１１Ｋが第１プロセスカートリッジ４Ｋに対して着脱されるときに、他方のガイド部材４２Ｋの現像ガイド４５Ｋによって案内される。
【００６６】
ガイド突起６２Ｋ、６３Ｋは、現像ローラシャフト６４Ｋと第１押圧部材１３Ｋとの間に位置する。ガイド突起６２Ｋは、一方の外表面Ｓ１１から突出する。ガイド突起６３Ｋは、他方の外表面Ｓ１２から突出する。ガイド突起６２Ｋ、６３Ｋは、円筒形状を有する。ガイド突起６２Ｋは、第１現像ユニット１１Ｋが第１プロセスカートリッジ４Ｋに対して着脱されるときに、一方のガイド部材４２Ｋの現像ガイド４５Ｋによって案内される。ガイド突起６３Ｋは、第１現像ユニット１１Ｋが第１プロセスカートリッジ４Ｋに対して着脱されるときに、他方のガイド部材４２Ｋの現像ガイド４５Ｋによって案内される。
【００６７】
４．筐体に対する現像ユニットの着脱
次いで、図１、図２、図４、図６および図７を参照して、筐体２に対する現像ユニット１１Ｋ、１１Ｙ、１１Ｍ、１１Ｃの着脱について説明する。
【００６８】
現像ユニット１１Ｋ、１１Ｙ、１１Ｍ、１１Ｃが筐体２に対して着脱されるときには、まず、カバー３が、閉位置（図１および図４参照）から、開位置（図２および図７参照）へ向かって移動される。
【００６９】
すると、図４および図６に示すように、カバー３が閉位置から連動位置（図６参照）へ移動することにより、ＬＥＤアレイ５Ｋ、５Ｙ、５Ｍ、５Ｃが筐体２の外に位置する。
【００７０】
次いで、図６および図７に示すように、カバー３が連動位置から開位置へ移動することにより、カバー３の回動に連動して、リンク部材２１Ａ、２１Ｂが、第２方向において軸Ａから離れる方向に移動する。すると、リンク部材２１Ａ、２１Ｂの移動に伴って、ガイド部材４２Ｋ、４２Ｙ、４２Ｍ、４２Ｃが回動する。すると、図１および図２に示すように、現像ユニット１１Ｋ、１１Ｙ、１１Ｍ、１１Ｃは、第２方向において軸Ａから離れる方向に移動する。
【００７１】
これにより、ユーザは、第２方向において、カバー３の軸Ａから遠い一方側から、現像ユニット１１Ｋ、１１Ｙ、１１Ｍ、１１Ｃを、筐体２に対して、円滑に着脱することができる。
【００７２】
５．作用効果
画像形成装置１によれば、図１および図２に示すように、カバー３を開位置に位置させることにより、現像ユニット１１Ｋ、１１Ｙ、１１Ｍ、１１Ｃを、第２方向において、カバー３の軸Ａから離れる方向へ移動させることができる。
【００７３】
その結果、第２方向において、カバー３の軸Ａから遠い側から、現像ユニット１１Ｋ、１１Ｙ、１１Ｍ、１１Ｃを円滑に着脱することができる。
【００７４】
６．変形例
リンク部材２１Ａ、２１Ｂは、第２方向に最も長い辺を有する長方形状であり、第１方向及び第２方向と直交する第３方向において、長さが一定であった。しかし、リンク部材２１Ａ、２１Ｂは、第３方向において長さが異なってもよい。たとえば、第２方向に最も長い辺を有する台形形状も含む。より具体的には、リンク部材２１Ａ、２１Ｂは、ばね２３からカバー３の軸Ａに近づくにつれて、第３方向の長さが短くなってもよい。また、リンク部材２１Ａ、２１Ｂは、ばね２３からカバー３の軸Ａに近づくにつれて、第３方向の長さが長くなってもよい。
【００７５】
また、リンク部材２１Ａ、２１Ｂは、第２方向に最も長い辺を有する三角形状であってもよい。リンク部材２１Ａ、２１Ｂは、ばね２３からカバー３の軸Ａに近づくにつれて、第３方向の長さが短くなってもよい。また、リンク部材２１Ａ、２１Ｂは、ばね２３からカバー３の軸Ａに近づくにつれて、第３方向の長さが長くなってもよい。上述の三角形状には、二等辺三角形も、直角三角形も含まれる。
【００７６】
第１ボス２４Ｋ、２４Ｙ、２４Ｍ、２４Ｃは、円柱であったが、円でなく楕円の柱であってもよいし、多角柱であってもよい。第２ボス２５Ｋ、２５Ｙ、２５Ｍ、２５Ｃも同様である。すなわち、係合部２６は、突起４６と係合できれば、形状を問わない。
【００７７】
第１ボス２４Ｋ、２４Ｙ、２４Ｍ、２４Ｃは、同じ形状であったが、互いに異なる形状であってもよい。
【００７８】
係合部２６Ｋは、第１ボス２４Ｋと、第２ボス２５Ｋとを備えていたが、突起４６Ｋをガイドするための溝であってもよい。係合部２６Ｙ、２６Ｍ、２６Ｃについても同様である。
【００７９】
突起４６Ｋは、楕円の柱であったが、円柱でも、長方形の四角柱でも、その他の多角柱であってもよい。突起４６Ｋは、第１ボス２４Ｋと、第２ボス２５Ｋとの間に位置するために、長辺と短辺とを有している柱が好ましい。たとえば、楕円の柱または長方形の四角柱が好ましい。すなわち、突起４６Ｋは、係合部２６Ｋと係合できれば、形状を問わない。突起４６Ｙ、４６Ｍ、４６Ｃについても同様である。
【符号の説明】
【００８０】
１      画像形成装置
２      筐体
２Ａ    開口
３      カバー
４Ｋ    第１プロセスカートリッジ
４Ｙ    第２プロセスカートリッジ
５Ｋ    第１ＬＥＤアレイ
６      ベルト
７      転写ローラ
８      ベルトクリーナ
１０Ｋ  第１感光ドラム
１０Ｙ  第２感光ドラム
１１Ｋ  第１現像ユニット
１２Ｋ  第１クリーナ
１２Ｙ  第２クリーナ
１３Ｋ  第１押圧部材
１８    搬送管
１９    廃トナー収容部
２１Ａ  リンク部材
２１Ｂ  リンク部材
４２Ｋ  ガイド部材
４７Ｋ  第１部分
４８Ｋ  第２部分
Ａ      軸
Ａ１    第１軸
Ａ２    第２軸
【図１】
2018055067.tif 000003
【図２】
2018055067.tif 000004
【図３】
2018055067.tif 000005
【図４】
2018055067.tif 000006
【図５】
2018055067.tif 000007
【図６】
2018055067.tif 000008
【図７】
2018055067.tif 000009
【図８】
2018055067.tif 000010
【図９】
2018055067.tif 000011